(57)【要約】【課題】天面に配置する着脱可能な天面吸入グリルを有する空気調和機の室内機において、天面グリルの取付をより容易にするとともに、不確実な取付けを防ぎ、着脱の作業性を向上する。【解決手段】前面枠１の天面開口部３の両端に設けられたガイド面５ａ、５ｂの間にこれと略平行にガイドリブ６を形成し、一方天面吸入グリル２にはガイドリブ６と摺動可能なガイド部７を設け、天面吸入グリル２をガイドリブ６に沿って摺動させることで、所定の設置位置に導くよう構成する。【選択図】　図１
2004125206.tif 000002
【特許請求の範囲】
【請求項１】
少なくとも、外郭の一部を構成する前面枠と、前記前面枠と着脱自在な天面吸入グリルを備えた空気調和機において、前記前面枠は前記天面吸入グリルを取付ける天面開口部と固定部と、前記天面開口部両端に前記天面吸入グリルを保持する第１のガイド面及び第２のガイド面と、前記天面開口部の前記第１のガイド面と前記第２のガイド面の間において、前記第１及び第２のガイド面と略平行に配置されたガイドリブとを有し、前記天面吸入グリルには、前記固定部に相対する固定部と、前記ガイドリブと摺動可能に形成されたガイド部を有することを特徴とする空気調和機の室内ユニット。
【請求項２】
天面吸入グリルのガイド部は、前記天面吸入グリルを前面枠に収納した状態でガイドリブに相対する部位であって、前記天面吸入グリル後方に切欠を形成して設けたことを特徴とする請求項１記載の空気調和機の室内ユニット。
【請求項３】
天面吸入グリルのガイド部と前面枠のガイドリブとの左右スキマ寸法を、第１のガイド面にて保持される前記天面吸入グリルの第１の保持代と第２のガイド面にて保持される前記天面吸入グリルの第２の保持代のいずれか小さい方よりも小さく構成したことを特徴とする請求項１記載の空気調和機の室内ユニット。
【発明の詳細な説明】
【０００１】
【発明の属する技術分野】
本発明は、空気調和機に関し、さらに詳しくは空気調和機の室内ユニットを構成する天面吸入グリル構造に関するものである。
【０００２】
【従来の技術】
従来の空気調和機の室内ユニットについて、図面を参照しながら説明する。
【０００３】
従来の室内ユニットは、図８に示すように、外郭の一部を構成する前面枠１と前面枠１と着脱自在な天面吸入グリル２を備えており、前面枠１は天面吸入グリル２を取付ける天面開口部３と固定部４ａ、４ｂと、天面開口部３両端に天面吸入グリル２を保持する第１のガイド面５ａ及び第２のガイド面５ｂを有し、天面吸入グリル２には、固定部４ａ、４ｂに相対する固定部４ｃ、４ｄを有する構成をしている。
【０００４】
【特許文献１】
特開平１１−３５１６０８号公報
【０００５】
【発明が解決しようとする課題】
しかしながら、上記従来の構成では、通常、空気調和機の室内ユニットは室内壁面の上方に据付られており、天面吸入グリル２を前面枠１に取付ける際、左右のガイド面５ａ、５ｂが室内ユニット天面に左右離れた位置に構成されている為、左右方向の取付け位置が定まりにくく、図９に示すように左右方向の位置ずれによりガイド面５ａ、５ｂから天面吸入グリル２が落ち込むことがあり、特に高所での取付けでもあるために取付けがスム−ズにできないという課題を有していた。
【０００６】
本発明はこのような従来の課題を解決するものであり、天面吸入グリルの取付け性を向上させた空気調和機の室内ユニットを提供することを目的とする。
【０００７】
【課題を解決するための手段】
上記課題を解決するために本発明は、前面枠天面開口部の第１のガイド面と第２のガイド面の間において、第１及び第２のガイド面と略平行に配置されたガイドリブを設け、天面吸入グリルには、ガイドリブと摺動可能に形成されたガイド部を設けたことを特徴とするものである。
【０００８】
上記の構成によって、天面吸入グリルを取付ける際、ガイド部をガイドリブの位置に合わせることで取付け位置が定まり、スム−ズに取付けることができる。
【０００９】
また、請求項２に記載の発明は、天面吸入グリルの奥側に切欠部を設け、ガイド部としたことを特徴とするものである。
【００１０】
上記の構成によって、例えば、天面吸入グリルの直下で前面枠のガイドリブ両側及び片側に沿わして防塵フィルタ−等別部品を構成した場合でも、ガイド部に凸形状がない為、防塵フィルタ−等別部品を取付ける妨げとならずスペ−スを有効活用することができる。
【００１１】
また、請求項３に記載の発明は、天面吸入グリルのガイド部と前面枠のガイドリブとの左右スキマ寸法を、第１のガイド面にて保持される天面吸入グリルの第１の保持代と第２のガイド面にて保持される天面吸入グリルの第２の保持代のいずれか小さい方よりも小さく構成したことを特徴とするものである。
【００１２】
上記の構成によって、天面吸入グリルを取付ける際、左右の位置ずれによるガイド面からの天面吸入グリル落ち込みを防ぎ、確実に取付けることができる。
【００１３】
【発明の実施の形態】
以下、本発明の実施の形態について図面を参照して説明する。従来の技術で説明した図８と共通の構成要素については同一番号を付して、詳細説明を省略する。
【００１４】
（実施の形態１）
図１は本発明にかかる第１の実施の形態の空気調和機の室内ユニットの構成を示す斜視模式図であり、図２は図１のＡ１−Ａ１断面の模式断面図を示している。同図において示されるように、室内ユニットは外郭の一部を構成する前面枠１と、前面枠１と着脱自在な天面吸入グリル２を備えている。前面枠１は天面吸入グリル２を取付ける天面開口部３と、天面吸入グリル２の前方及び後方をそれぞれ前面枠１に固定する固定部４ａ、４ｂと、天面開口部３両端には天面吸入グリル２の側方下面を保持する第１のガイド面５ａ及び第２のガイド面５ｂと、天面開口部３の第１のガイド面５ａと第２のガイド面５ｂとの間の天面開口部においてこれらと略平行に配置されたガイドリブ６とを有している。天面吸入グリル２には、固定部４ａ、４ｂに相対する固定部４ｃ、４ｄと、ガイドリブ６を挟んでこれに沿って摺動可能なように形成されたガイド部７を後方の一部分に有している。
【００１５】
天面吸入グリル２の室内ユニットへの着脱は、図３に示すように、天面吸入グリル２を取付ける際、例えば室内ユニットの前方位置付近で天面吸入グリル２のガイド部７を前面枠１のガイドリブ６の位置に合わせ、その後にガイド部７によりガイドリブ６を挟んだ状態で後方に摺動させて所定位置まで収める。このように装着作業を行うことで天面吸入グリル２の天面開口部での取付け位置が容易かつ正確に定まり、スム−ズに取付けることができるとともに、装着の際に天面吸入グリル２の左右の側端が第１のガイド面５ａと第２のガイド面５ｂから脱落することなく確実な取付けが可能となる。特に空気調和機の室内ユニットの天面への部材の着脱は、多くの場合設置された室内でも高所の作業であるため、天面吸入グリルの設置所定位置は下方から見にくい位置にあるが、室内ユニットの前面部で位置決めすれば容易に所定位置に導くことが出来るので好適である。
【００１６】
また、図６、７に示すように、凹凸を逆にしてガイドリブ６の代わりにガイド溝６ｚを同じ位置に形成し、天面吸入グリル２には、切欠部８の代わりにガイド溝６ｚに相対する位置に凸リブ８ｚを設けガイド部とする構成でもほぼ同様の効果を得ることができることはいうまでもない。
【００１７】
（実施の形態２）
次に第２の実施の形態について図４を用いて説明する。同図において、実施の形態１に示した態様と異なる点は、天面吸入グリル２後方には凸状のガイド部７ではなく、切欠部８を設けてガイド部８を構成したものである。天面吸入グリルの室内ユニットの天面所定位置への装着手順は実施の形態１と同様であるが、このようにガイド部を切欠で構成することによって、天面吸入グリル２のすぐ下に前面枠１のガイドリブ６両側及び片側に沿わせて防塵フィルタ−９等別部品を構成した場合でも、ガイド部に凸形状が突出しない為、防塵フィルタ−９等別部品を取付ける妨げとならずスペ−スを有効活用することができる。なお、切欠を設けた部位には前方に向けて補強リブを形成しておくと強度が増して、合成を保つことができ、好適である。
【００１８】
（実施の形態３）
次に本願発明の第３の実施の形態について図５を用いて説明する。図５は図１に示したＡ１−Ａ１断面についてガイド部７とガイドリブ６とが嵌め合いやすく、また相互に摺動しやすいように設定したスキマと、天面吸入グリル２が左右の側端部で前面枠１に形成された第１のガイド面５ａと第２のガイド面５ｂに当接する際における重なりしろとの関係を示したものである。同図において天面吸入グリル２のガイド部７と前面枠１のガイドリブ６との左右スキマ寸法Ｌ３＋Ｌ４は、第１のガイド面５ａにて保持される天面吸入グリルの第１の保持代Ｌ１と第２のガイド面５ｂにて保持される天面吸入グリルの第２の保持代Ｌ２のいずれか小さい方よりも小さく構成している。
【００１９】
上記の構成によって、天面吸入グリル２を取付ける際、左右の位置ずれによるガイド面５ａ、５ｂからの天面吸入グリル２の落ち込みを防ぎ、確実に取付けることができる。
【００２０】
【発明の効果】
上記から明らかなように、本発明のうち請求項１に記載の発明は、前面枠天面開口部の第１のガイド面と前記第２のガイド面の間において、第１及び第２のガイド面と略平行に配置されたガイドリブを設け、天面吸入グリルには、ガイドリブと摺動可能に形成されたガイド部を設けたもので、この構成によれば、天面吸入グリルを取付ける際、天面吸入グリルのガイド部を前面枠のガイドリブの位置に合わせることで取付け位置が定まり、スム−ズに取付けることができるという効果を奏する。
【００２１】
また、本発明のうち請求項２に記載の発明は、天面吸入グリルの奥側に切欠部を設け、ガイド部としたもので、この構成によれば、例えば、天面吸入グリルの直下で前面枠のガイドリブ両側及び片側に沿わして防塵フィルタ−等別部品を構成した場合でも、ガイド部に凸形状がない為、防塵フィルタ−等別部品を取付ける妨げとならずスペ−スを有効活用することができるという効果を奏する。
【００２２】
また、本発明のうち請求項３に記載の発明は、天面吸入グリルのガイド部と前面枠のガイドリブとの左右スキマ寸法を、第１のガイド面にて保持される天面吸入グリルの第１の保持代と第２のガイド面にて保持される天面吸入グリルの第２の保持代のいずれか小さい方よりも小さく構成したもので、この構成によれば、天面吸入グリルを取付ける際、左右の位置ずれによるガイド面からの天面吸入グリルの落ち込みを防ぎ、より確実に取付けることができるという効果を奏する。
【図面の簡単な説明】
【図１】本発明の第１の実施形態を示す空気調和機の室内ユニットの斜視図
【図２】図１におけるＡ１−Ａ１断面図
【図３】本発明の第１の実施形態を示す天面吸入グリル取付模式図
【図４】本発明の第２の実施形態を示す空気調和機の室内ユニットの斜視図
【図５】本発明の第３の実施形態を示す図１におけるＡ１−Ａ１断面でのスキマ寸法などを示す模式断面図
【図６】本発明の第１の実施形態において他の構成を示す空気調和機の室内ユニットの斜視図
【図７】図６におけるＡ６−Ａ６断面図
【図８】従来の空気調和機の室内ユニットの斜視図
【図９】従来の空気調和機の室内ユニットを示す図８のＡ８−Ａ８断面図
【符号の説明】
１　　前面枠
２　　天面吸入グリル
３　　天面開口部
４ａ、４ｂ、４ｃ、４ｄ　固定部
５ａ　　第１のガイド面
５ｂ　　第２のガイド面
６　　　ガイドリブ
６ｚ　ガイド溝
７　　ガイド部
８　　切欠部
８ｚ　凸リブ
９　　防塵フィルタ−
【図１】
2004125206.tif 000003
【図２】
2004125206.tif 000004
【図３】
2004125206.tif 000005
【図４】
2004125206.tif 000006
【図５】
2004125206.tif 000007
【図６】
2004125206.tif 000008
【図７】
2004125206.tif 000009
【図８】
2004125206.tif 000010
【図９】
2004125206.tif 000011